(57)【要約】【課題】簡易な構造で、警報音信号に歪みを生じさせることなく、大音量の警報音をドアホン子器より出力させることのできる、多重信号を利用した２線式のインターホンシステムを提供する。【解決手段】インターホン親機２は、音声信号利得切換信号を送出するための音声信号利得切換信号送出手段２４を備え、ドアホン子器１は、インターホン親機２から信号線Ｃを通じて送出されて来る音声信号利得切換信号を検出して、スピーカアンプＡ２の利得を増大させる音声信号利得切換手段１３を備えている。【選択図】図１
2006237886.tif 000002
【特許請求の範囲】
【請求項１】
異常監視機能を備えたインターホン親機と、スピーカとスピーカアンプとを有し、このインターホン親機から駆動電源の供給を受けて作動するドアホン子器とを、信号線を介して接続し、上記インターホン親機が異常を検知したときには、該インターホン親機より上記ドアホン子器に、上記信号線を通じて、警報音信号を送出する構成のインターホンシステムであって、
上記インターホン親機は、音声信号利得切換信号を送出するための音声信号利得切換信号送出手段を備え、
上記ドアホン子器は、上記インターホン親機から上記信号線を通じて送出されて来る音声信号利得切換信号を検出して、上記スピーカアンプの利得を増大させる音声信号利得切換手段を備えているインターホンシステム。
【請求項２】
請求項１において、
上記インターホン親機は、上記音声信号利得切換信号として、所定の可聴外周波数信号を送出する構成としているインターホンシステム。
【請求項３】
請求項１において、
上記インターホン親機は、上記警報音信号を上記音声信号利得切換信号に後続させて送出する構成としているインターホンシステム。
【請求項４】
請求項１において、
上記音声信号利得切換信号は、上記ドアホン子器への駆動電源の電圧レベルを変化させることで生成されているインターホンシステム。
【請求項５】
異常監視機能を備えたインターホン親機と、スピーカとスピーカアンプとを有し、このインターホン親機から駆動電源の供給を受けて作動するドアホン子器とを、信号線を介して接続し、上記インターホン親機が異常を検知したときには、該インターホン親機より上記ドアホン子器に、上記信号線を通じて、警報音信号を送出する構成のインターホンシステムであって、
上記インターホン親機は、上記警報音信号に前後させて警報制御信号を送出するための警報制御信号送出手段を備え、
上記ドアホン子器は、スピーカアンプの利得の状態を記憶し、上記警報制御信号を受けたときに、スピーカアンプの利得が増大された状態になっていないときには、上記スピーカアンプの利得を増大させる一方、スピーカアンプの利得が増大された状態になっているときには、該スピーカアンプの利得を元の状態に復帰させる音声信号利得切換手段を備えた構成にしているインターホンシステム。
【請求項６】
請求項５において、
上記警報制御信号は、警報音信号の前後に送出される同一の周波数信号として構成されているインターホンシステム。
【請求項７】
請求項１〜６のいずれかにおいて、
上記ドアホン子器はテレビカメラを更に備えており、上記音声信号利得切換手段は、上記音声信号利得切換信号を検出したときには、上記テレビカメラの電源供給を停止する構成としているインターホンシステム。
【発明の詳細な説明】
【技術分野】
【０００１】
本発明は、インターホン親機とドアホン子器とを、信号線を介して接続して構成したインターホンシステムの改良に関する。
【背景技術】
【０００２】
この種のインターホンシステムは、集合住宅などで使用されており、既に公知である。
【０００３】
図９は、下記特許文献１に示すインターホンシステムの基本構成を示している。
各住戸の玄関先に設置されたドアホン子器１００と、住戸内に設置されたインターホン親機２００とは、２線式の信号線Ｃで接続されており、ドアホン子器１００の呼出釦（不図示）を操作して、住戸を呼び出せば、親機２００側で呼出音を鳴動させ、住戸人が応答すれば、双方のマイクＭＩＣ、スピーカＳＰを介して、玄関先の客と住戸人との間で所定時間の通話が出来るようになっている。
ここに、ドアホン子器１００は、通話回路部１１０、多重分離回路部１１１、電源回路部１１２を備え、通話のための通話回路部１１０には、マイクＭＩＣを通じて入力された音声信号を増幅するマイクアンプＡ１、通話回路部１１０を通じて出力される音声信号を増幅し、スピーカＳＰに出力するスピーカアンプＡ２を備えている。
【０００４】
また、一方のインターホン親機２００は、通話のための通話回路部２１０、電源回路部２１１、多重分離回路部２１２、親機２００で異常を検知した場合に、ドアホン子器１００に警報を出力するための警報音信号送出回路部２１３、火災感知器、防犯センサなどのセキュリティーセンサ（不図示）が接続される異常事象発生感知部２１４を備え、通話回路部２１０には、マイクＭＩＣを通じて入力された音声信号を増幅するマイクアンプＡ１、通話回路部２１０を通じて出力された音声信号を増幅し、スピーカＳＰに出力するスピーカアンプＡ２を備えている。
【０００５】
また、ドアホン子器１００とインターホン親機２００とを接続している２線式の信号線Ｃは、通話のための音声信号、システムの制御信号、ドアホン子器への駆動電源が多重化されて伝送され、ドアホン子器１００の多重分離回路部１１１とインターホン親機２の多重分離回路部２１２とで、これらの信号が多重化され、あるいは分離されている。
【０００６】
そして、このようなシステムでは、親機２００では、セキュリティーセンサの異常を検知すると、警報音信号を重畳させて、信号線Ｃを通じて、ドアホン子器１００に送出し、その結果、ドアホン子器１００は、戸外に向けて警報音を出力することが出来る。
【特許文献１】特許３４１４０３６号公報
【発明の開示】
【発明が解決しようとする課題】
【０００７】
ところで、このようなインターホンシステムにおいて、ドアホン子器より警報音を出力して室外の人に異常を知らせる場合には、騒音などを考慮すると、警報音の音量を大きくする必要がある。
【０００８】
しかしながら、インターホン親機からドアホン子器に送出する警報音の信号レベルを単に大きくした場合には、信号線に多重されインターホン親機からドアホン子器へ供給される給電電圧の上限値の制限の影響を受け、そのため、警報音の波形に歪みを生じるおそれがあるという第１の問題点と、ドアホン子器内で警報音信号を増幅するスピーカアンプへの入力が過大となって、スピーカアンプの出力がクリップされ、警報音が歪んでしまうという第２の問題点があった。
【０００９】
本発明はこのような問題を解決するために提案され、警報音に歪みを生じさせることなく、簡易な方法で大音量の警報音をドアホン子器より出力させることのできるインターホンシステムを提供することを目的とする。
【課題を解決するための手段】
【００１０】
上記目的を達成するため、請求項１では、インターホン親機は、音声信号利得切換信号を送出するための音声信号利得切換信号送出手段を備え、上記ドアホン子器は、上記インターホン親機から上記信号線を通じて送出されて来る音声信号利得切換信号を検出して、上記スピーカアンプの利得を増大させる音声信号利得切換手段を備えている。
【００１１】
請求項２では、上記インターホン親機は、上記音声信号利得切換信号として、所定の可聴外周波数信号を送出する構成としている。
【００１２】
請求項３では、上記インターホン親機は、上記警報音信号を上記音声信号利得切換信号に後続させて送出する構成としている。
【００１３】
請求項４では、上記音声信号利得切換信号は、上記ドアホン子器への駆動電源の電圧レベルを変化させることで生成されている。
【００１４】
請求項５では、上記インターホン親機は、上記警報音信号に前後させて、警報制御信号を送出するための警報制御信号送出手段を備え、上記ドアホン子器は、スピーカアンプの利得の状態を記憶し、上記警報制御信号を受けたときに、スピーカアンプの利得が増大された状態になっていないときには、上記スピーカアンプの利得を増大させる一方、スピーカアンプの利得が増大された状態になっているときには、該スピーカアンプの利得を元の状態に復帰させる音声信号利得切換手段を備えた構成にしている。
【００１５】
請求項６では、上記警報制御信号は、同一の周波数信号として構成されている。
【００１６】
請求項７では、ドアホン子器はテレビカメラを更に備えており、上記音声信号利得切換手段は、上記音声信号利得切換信号を検出したときには、上記テレビカメラの電源供給を停止する構成としている。
【発明の効果】
【００１７】
上記した請求項１から請求項４に記載の発明によれば、ドアホン子器に内蔵されているスピーカアンプの利得を大きくするので、警報音のレベルを大きくしてドアホン子器に送出する必要がないため、親機からドアホン子器への給電の上限値の影響により、警報音信号が歪むことがなく、また、スピーカを駆動するアンプの入力が過大になることはない。
【００１８】
そのため、警報音を歪ませることなく音量を大きくすることができる。
【００１９】
特に、請求項２，３，４によれば、音声信号利得切換信号が、可聴外周波数信号であるので干渉がなく、また、警報音信号に前後させて、あるいはドアホン子器への駆動電源の電圧レベルを変化させて生成出来るので、多重化が容易で制御回路の構成が容易となる。
【００２０】
また請求項５、請求項６に記載の発明によれば、警報音信号に警報制御信号を前後させて送出するため、多重化が容易であり、スピーカアンプの利得変化の状態を参照することで、警報制御信号によってスピーカアンプの利得を増大させて警報音を出力させた後は、同様にして、警報制御信号によってその利得を元の状態に復帰して対応できる。
【００２１】
特に、請求項６によれば、警報音信号の前後に付加する警報制御信号が同一の周波数で構成されているので、周波数の検出回路をそれぞれ別個に設ける必要がない。
さらに請求項７に記載の発明によれば、スピーカアンプの利得を大きくしている間は、内蔵されるテレビカメラの駆動を停止させるので、カメラ駆動電源をスピーカアンプに回すことができる。
そのため、スピーカアンプの電源不足も発生せず、大音量の警報音を安定して出力することが出来る。
【発明を実施するための最良の形態】
【００２２】
以下に、本発明の実施の形態について説明する。
【実施例１】
【００２３】
図１は、第１の本発明の基本構成の一例を示すブロック図である。なお、その基本動作については、従来の技術で示したシステムと同様であり説明を省略する。
【００２４】
このインターホンシステムでは、ドアホン子器１と、インターホン親機２とを、信号線Ｃで接続しており、ドアホン子器１は、通話回路部１０、電源回路部１１、多重分離回路部１２、音声信号利得切換手段１３とを備えている。ここに、音声信号利得切換手段１３は、利得切換信号検出回路部１３ａと、利得切換回路部１３ｂとを備え、通話回路部１０には、マイクＭＩＣを通じて入力された音声レベルを増幅するマイクアンプＡ１、通話回路部１０を通じて出力された音声レベルを増幅しスピーカＳＰに出力するゲイン可変型のスピーカアンプＡ２を備えている。
【００２５】
音声信号利得切換手段１３は、利得切換信号検出回路部１３ａと利得切換回路部１３ｂとを備え、利得切換信号検出回路部１３ａは、信号線Ｃを通じて親機２から送出されてくる音声信号利得切換信号を検出するようになっている。
【００２６】
また、通話回路部１０には、マイクＭＩＣを通じて入力された音声信号を増幅するマイクアンプＡ１、通話回路部１０を通じて出力された音声信号を増幅しスピーカＳＰに出力するスピーカアンプＡ２を備えており、利得切換回路部１３ｂは、利得切換信号検出回路部１３ａが音声信号利得切換信号を検出したときには、スピーカアンプＡ２の利得を増大させることが出来、そのため、スピーカアンプＡ２の利得は可変できる構成になっている。
【００２７】
一方のインターホン親機２は、火災センサ、防犯センサ、ガス漏れセンサ、非常用押釦などのセキュリティセンサＳを異常事象発生感知部２５に接続しており、通話回路部２０、電源回路部２１、多重分離回路部２２、警報音信号送出回路部２３、音声信号利得切換信号送出手段２４を備える。また、通話回路部２０には、マイクＭＩＣを通じて出力された音声レベルを増幅するマイクアンプＡ１、通話回路部２０を通じて出力された音声レベルを増幅しスピーカＳＰに出力するスピーカアンプＡ２を備えている。このような構成において、音声信号利得切換信号送出手段２４は、後述する態様にて音声信号利得切換信号を送出する。
【００２８】
図２のステップ１００〜１０５は、このような構成の本発明システムの基本動作を示している。
【００２９】
すなわち、住戸内で異常が発生すると（１００）、親機２がこの状態を検出し、警報音信号の送出と音声信号利得切換信号の送出とを行う（１０１，１０２）。その場合の信号フォーマットを図３に示すが、信号線Ｃでは、音声信号利得切換信号Ｓａに続いて、警報音信号Ｓｂが送出される。この警報音信号Ｓｂは、連続的に送出されるだけではなく、断続的に送出されるものであってもよい。
【００３０】
ドアホン子器１は、音声信号利得切換信号Ｓａを受信すると（１０３）、スピーカアンプＡ２の利得を増大させ（１０４）、ついで、警報音信号Ｓｂに基づき警報音信号を出力する（１０５）。この場合の音声信号利得切換信号Ｓａは、他に多重化される警報音信号Ｓｂとの干渉を防止するため、可聴外周波数信号で送出することが望ましいが、可聴外周波数信号であることには限定されない。
【００３１】
なお、上記音声信号利得切換信号Ｓａとして送出する可聴外周波数信号は、１パルス群のみではなく、複数であってもよいし、一定時間の間、連続して複数送出されるものであってもよい。
【００３２】
図４は、２線式インターホンシステムにおける多重信号の周波数構成図を示している。インターホン親機２から信号線Ｃを通じてドアホン子器１へ伝送される多重信号は、通常は、ドアホン駆動電源に、映像信号、通話信号を多重化して伝送され、警報時には、更に、警報音信号に、可聴外の音声信号利得切換信号が付加される。ここに、警報音信号は図示するように１００〜１０ＫＨｚ、映像信号は１Ｍ〜１０ＭＨｚの周波数帯域が割り当てられ、音声信号利得切換信号は、他の制御信号と同様に、１０ＭＨｚを越える可聴外の周波数帯域が割り当てられているが、このようなものには限定されない。
【００３３】
すなわち、音声信号利得切換信号の周波数帯域は、他の警報音信号、映像信号と重複しない帯域であれば、どのような帯域であってもよい。
【００３４】
これらの信号は多重化されてドアホン子器１に伝送されるが、ドアホン子器１では、多重分離回路部１２によりそれぞれの信号に分離され、通話回路部１０、音声信号利得切換手段１３の各々で、周波数が弁別され、通話回路部１０は音声信号を入力し、スピーカＳＰより出力するが、音声信号利得切換手段１３は音声信号利得切換信号を入力して、上述の処理を行う。
【００３５】
図５は、本発明システムの他例を示す図である。このものでは、図１の基本構成に対して、音声信号利得切換手段１３は、受電電圧判定回路部１３ｄ、受電回路部１３ｅ、利得切換回路部１３ｂとを備えて構成されている。
一方、親機２では、音声信号利得切換信号送出手段２４として、電源回路部２１、スイッチング回路２７を備え、スイッチング回路２７は、異常事象発生感知部２５の検知によって、ドアホン子器１への給電電圧値Ｖ１，Ｖ２を切り換える構成となっている。
【００３６】
基本動作を説明すると、親機２では、通常は電圧値Ｖ１の駆動電源をドアホン子器１に供給しているが、異常が発生すると、スイッチング回路２７を切り換えて、供給電源値をＶ２の駆動電源に切換え、これを利得切換信号とする。このＶ２電圧値をドアホン子器１の受電電圧判定回路部１３ｄが検知、判定すると、スピーカアンプＡ２の利得は増大変更される。ここに、受電電圧判定回路部１３ｄは、コンパレータ、マイコンなどで構成できる。
【００３７】
また、親機２側で復旧操作を受付けると、スイッチング回路２７を切り換えて、供給電源値をＶ１とする。すると、ドアホン子器１では、受電電圧判定回路部１３ｄが電圧値Ｖ１を検出し、スピーカアンプＡ２の利得を元に戻す。
【実施例２】
【００３８】
次に、第２の本発明について説明する。図６は、第２の本発明の基本構成の一例を示すブロック図である。このシステムでは、インターホン親機２は、異常を検知したときには、ドアホン子器１に対して、警報制御信号と警報音信号とを前、後して送出するため、警報制御信号送出手段２４を設けた構成としている。
【００３９】
警報制御信号送出手段２４は、親機２側で異常発生したときには、図７に示す信号フォーマットにより信号を送出し、警報制御信号Ｓａに続いて警報音信号Ｓを送出するが、この図の構成では、警報音信号Ｓに先導して送出される警報制御信号ＳａでスピーカアンプＡ２の利得を増大させ、警報音信号Ｓに後続して送出されて来る警報制御信号Ｓｂで増大させた利得を復帰させるものを想定しているが、音声信号利得切換制御手段１３では、警報制御信号Ｓａ，Ｓｂを受信したときに、スピーカアンプＡ２の利得状態を参照し、利得が増大されているときには、警報制御信号でスピーカアンプＡ２の利得を復帰させ、利得が増大されていないときには、警報制御信号でスピーカアンプＡ２の利得を増大させる構成にしている。
【００４０】
なお、スピーカアンプＡ２の利得を復帰させる警報制御信号は、親機２側で警報信号を停止し、復旧する操作を受けたときに、ドアホン子器１に送出させる復旧信号と兼用させてもよいことはいうまでもない。
【００４１】
したがって、音声信号利得切換手段１３では、警報制御信号を受信したときに、スピーカアンプＡ２の利得変化の状態を参照して、上記動作をしているので、警報制御信号と警報音信号との繋がりが途中で不明となっても、正しくスピーカアンプＡ２の利得切換を行えるだけでなく、１種類の警報制御信号を準備するだけで、利得の増大、復帰の切換ができる。
【００４２】
また、この第２の本発明においては、警報制御信号Ｓａ，Ｓｂとを同一周波数で構成すれば、警報制御信号送出手段２４では１種類の警報制御信号を生成すればよいので、回路構成も簡略化できる。
【００４３】
図８は、上記第１，第２の本発明をテレビインターホンシステムに適用した一例を示すブロック図である。このシステムでは、テレビインターホンシステムを構成するため、図１のシステムに対して、カメラ１９、映像信号処理部３０、カメラ駆動回路部３１を別途設けている。なお、カメラ１９は親機２からの駆動電源で駆動するようにしており、カメラ駆動回路部３１の制御により開閉されるスイッチング回路１８を備える。また、親機２にもテレビインターホンを構成するため、映像信号処理部２６、ＣＲＴや液晶モニタなどで構成される表示部２７を備える。
【００４４】
このような構成によれば、利得切換信号検出回路部１３ａが利得切換信号を検出したときには、カメラ駆動回路部３１を制御してスイッチング回路１８をオフ制御し、カメラ１９への駆動電源供給を遮断する。これにより、カメラ駆動電源を警報音出力に回すことができる。
【図面の簡単な説明】
【００４５】
【図１】第１の本発明の基本構成の一例を示すブロック図
【図２】第１の本発明の基本動作の一例を示すフローチャート
【図３】音声信号利得切換信号の送出態様について示す図
【図４】信号線の信号伝送フォーマットの一例を示す図
【図５】第１の本発明の基本構成の他例を示すブロック図
【図６】第２の本発明の基本構成の一例を示すブロック図
【図７】警報制御信号の伝送態様について示す図
【図８】本発明をテレビインターホンシステムに適用した場合のブロック図
【図９】従来の２線式のインターホンシステムの構成を示すブロック図
【符号の説明】
【００４６】
１  ドアホン子器
２  インターホン親機
１３  音声信号利得切換手段
２４  音声信号利得切換信号送出手段
Ｃ  信号線
Ａ２  スピーカアンプ
【図１】
2006237886.tif 000003
【図２】
2006237886.tif 000004
【図３】
2006237886.tif 000005
【図４】
2006237886.tif 000006
【図５】
2006237886.tif 000007
【図６】
2006237886.tif 000008
【図７】
2006237886.tif 000009
【図８】
2006237886.tif 000010
【図９】
2006237886.tif 000011